(57)【要約】【課題】小型でありながら単一の光源を用いて光の利用効率を高めつつ、異なる２方向に照明光を出射して照明することができる照明装置、特に棚板に取り付けると好適な照明装置を提供する。【解決手段】配光面１１ｈに複数の第１傾斜面１１ｉ、第２面１１ｊを用いることで、ボックス構造１１ｂｘの内部スペースを拡大でき、また複数の第１傾斜面１１ｉ、第２面１１ｊの傾斜角度をそれぞれ調整することで、単一のＬＥＤチップ１２ａから出射された光を、広い照明範囲で異なる方向にバランス良く出射させることができ、異なる方向にある商品と値札とをともに明るく照明できる。【選択図】図１
2014056787.tif 000002
【特許請求の範囲】
【請求項１】
光源と、前記光源を取り付けるための光源取り付け面と、前記光源取り付け面に交差する方向に延在する配光面と、前記光源取り付け面と前記配光面との間に形成された射出部とを有する保持部材とを有し、
前記配光面は、前記光源の中心を通る前記光源取り付け面の法線に沿って前記光源から遠ざかるにつれて、前記法線から離れる側にそれぞれ傾斜した複数の第１傾斜面と、隣接する前記第１傾斜面の間に形成された第２面とを備えており、前記第２面は前記光源側を向き、且つ前記第２面を延長した面が前記法線と交差するように前記第２面が延在しており、
前記光源から出射され直接射出部に導かれる光は、出射された方向に進行し前記射出部から出射し、前記光源から出射され前記第２面で反射した光は、前記光源取り付け面に沿った方向に進行し前記射出部から出射することを特徴とする照明装置。
【請求項２】
前記第２面の総面積は、前記第１傾斜面の総面積より小さいことを特徴とする請求項１に記載の照明装置。
【請求項３】
前記第２面は、前記法線に沿って前記光源から遠ざかるにつれて、前記法線に近づくことを特徴とする請求項１又は２に記載の照明装置。
【請求項４】
前記第２面は、前記第１傾斜面を挟んで、前記光源に近い前記第２Ａ面と、前記第２Ａ面よりも前記光源から遠い第２Ｂ面とを含み、前記法線に対する前記第２Ａ面の傾き角θＡは、前記法線に対する前記第２Ｂ面の傾き角θＢよりも小さいことを特徴とする請求項３に記載の照明装置。
【請求項５】
前記光源から出射し、前記第１傾斜面と前記第２面の一方で反射した後、更に他方で反射した光は、前記光源取り付け面に沿った方向に進行することを特徴とする請求項１〜３のいずれかに記載の照明装置。
【請求項６】
前記第２面は、前記光源取り付け面に対して略平行であることを特徴とする請求項５に記載の照明装置。
【請求項７】
前記光源から出射し、前記第２面で反射した後、更に前記第１傾斜面で反射した光は、前記光源取り付け面に沿った方向に進行することを特徴とする請求項５に記載の照明装置。
【請求項８】
前記射出部は、光を透過するとともに拡散作用を持つ素材から形成されたカバー部材で覆われていることを特徴とする請求項１〜７のいずれかに記載の照明装置。
【請求項９】
前記配光面を挟んで、前記光源と反対側に前記光源を駆動する駆動回路が設けられていることを特徴とする請求項１〜８のいずれかに記載の照明装置。
【請求項１０】
前記光源は、前記光源取り付け面と前記配光面との交差部に沿って間隔を置いて複数個設けられたＬＥＤ光源であることを特徴とする請求項１〜９のいずれかに記載の照明装置。
【請求項１１】
棚板の下面に取り付けられることを特徴とする請求項１〜１０のいずれかに記載の照明装置。
【発明の詳細な説明】
【技術分野】
【０００１】
本発明は、照明装置関し、特に、商品等を陳列する棚板等の下面等に取り付けられて商品等を照明するのに好適な照明装置に関する。
【背景技術】
【０００２】
一般的なコンビニエンスストアやスーパーマーケット等において、屋内照明のほかに、商品陳列棚に照明が設けられ、消費者が陳列された商品を目で確認しやすくし、それにより購買意欲を高めるようにしている。このような陳列棚の照明装置の光源としては、従来から直管の蛍光灯が広く用いられている（特許文献１参照）。特に特許文献１の照明装置では、反射光を用いることで、バランスのとれた照明を実現しているが、２つの反射面で強度分布のバランスをとっているので、照射範囲は狭くなっている。
【０００３】
ところで、特許文献１の照明装置は、陳列棚を複数有するショーケースの上方に１つ設けられているものであるので、上方からの照明では、下方の陳列棚に陳列された商品が見にくいという問題がある。そこで、陳列棚個々に照明装置を備えることが考えられる。しかるに、通常の蛍光灯は配線等も含めて体積が大きく嵩張るので、その分、陳列棚の陳列スペースを削減してしまうという問題がある。特に、商品陳列棚においては、陳列されている商品のほか、商品の値札も明るく照明することが要求されており、単一の光源を用いる場合、２方向に出射光を振り向けることが望まれている。又、蛍光灯はＬＥＤ（Light Emitting Diode：発光ダイオード）等に比べると消費電力が大きいため、より省エネを図りたいという要請もある。
【０００４】
これに対し、特許文献２には、反射部材を用いることで、消費電力がより少ないＬＥＤからの出射光を２方向に出射できる照明装置が開示されている。特許文献２の照明装置は、棚板の下面に配置することで、ＬＥＤからの直接出射光により下方を照明し、ＬＥＤの下方奥側に立設した反射部材からの反射光を用いて、前方側を照明するようになっている。
【先行技術文献】
【特許文献】
【０００５】
【特許文献１】特開2005-141911号公報
【特許文献２】特開2010-251294号公報
【発明の概要】
【発明が解決しようとする課題】
【０００６】
しかしながら、特許文献２の照明装置は、以下に述べるような問題がある。かかる問題を、図面を参照して説明する。図９は、特許文献２に示す照明装置の１形態の断面図である。図９の照明装置は、不図示の棚板に取り付けられ筐体ＢＸに固定された基板ＳＴと反射部材ＭＲとを有する。基板ＳＴの下面にはＬＥＤチップＬｅｄが取り付けられている。反射部材ＭＲは、ＬＥＤチップＬｅｄの中心を通る基板ＳＴの法線ＮＬに沿ってＬＥＤチップＬｅｄから遠ざかるにつれて、法線ＮＬに近づくように傾いている。しかるに、図９の構成では、反射部材ＭＲがＬＥＤチップＬｅｄから比較的離れているので、反射部材ＭＲに入射する光は、法線ＮＬに対して傾いた方向に出射する強度が弱い光である。従って、このような弱い光を、反射部材ＭＲで、図で左方斜め上方側に向かって反射しても、かかる方向の照度を顕著に高めることができないという問題がある。更に、ＬＥＤチップＬｅｄから出射した光の残りは、矢印で示すように反射部材ＭＲに反射した後、基板ＳＴに入射して、ここで殆ど吸収されてしまい、光の有効利用が図れないという問題もある。基板ＳＴに反射膜を形成することも考えられるが、コストの増大を招く。加えて、図９の構成では、反射部材ＭＲの背後に、スペースがないため、ＬＥＤチップＬｅｄを駆動する駆動回路をいずれに設置するかという問題もある。
【０００７】
かかる問題点を内包する図９の照明装置を、図１０に示すように、反射部材ＭＲの上縁をＬＥＤチップＬｅｄ側に倒すように改良することもできる。これにより反射部材ＭＲの背後にスペースが生じるので、ここにＬＥＤチップＬｅｄ駆動用の駆動回路ＤＲ等を設置できる。ところが、図１０の構成では、ＬＥＤチップＬｅｄから出射して反射部材ＭＲで反射した光は、法線ＮＬに沿った方向に出射するので、ＬＥＤチップＬｅｄから出射する光の殆どが、下方側から出射してしまうため問題である。
【０００８】
また別な改良として、図１１に示すように、反射部材ＭＲの傾きを維持したまま、全体をＬＥＤチップＬｅｄ側にシフトさせることもできる。これにより、反射部材ＭＲの背後にスペースが生じるので、ここにある程度の大きさのＬＥＤチップＬｅｄ駆動用の駆動回路等を設置できる。又、反射部材ＭＲは、ＬＥＤチップＬｅｄから出射する比較的法線ＮＬに近い光を、図で左方斜め上方側向かって反射できるので、かかる方向の照度が高くなり好都合である。ところが、図１１の例では、反射部材ＭＲの下端がＬＥＤチップＬｅｄの法線ＮＬに近い高い強度の光と干渉するので、照明装置の下方側の照度が低くなって、陳列棚に陳列された商品を明るく照明できないという問題がある。
【０００９】
本発明は、上記の事情に鑑みてなされたものであって、小型でありながら単一の光源を用いて光の利用効率を高めつつ、異なる２方向に照明光を出射して照明することができる照明装置、特に棚板に取り付けると好適な照明装置を提供することを目的とする。
【課題を解決するための手段】
【００１０】
請求項１に記載の照明装置は、光源と、前記光源を取り付けるための光源取り付け面と、前記光源取り付け面に交差する方向に延在する配光面と、前記光源取り付け面と前記配光面との間に形成された射出部とを有する保持部材とを有し、
前記配光面は、前記光源の中心を通る前記光源取り付け面の法線に沿って前記光源から遠ざかるにつれて、前記法線から離れる側にそれぞれ傾斜した複数の第１傾斜面と、隣接する前記第１傾斜面の間に形成された第２面とを備えており、前記第２面は前記光源側を向き、且つ前記第２面を延長した面が前記法線と交差するように前記第２面が延在しており、
前記光源から出射され前記配光面で反射しない光は、出射された方向に進行し前記射出部から出射し、前記光源から出射され前記第２面で反射した光は、前記光源取り付け面に沿った方向に進行し前記射出部から出射することを特徴とする。
【００１１】
本発明によれば、前記配光面は、前記光源の中心を通る前記光源取り付け面の法線に沿って前記光源から遠ざかるにつれて、前記法線から離れる側にそれぞれ傾斜した複数の第１傾斜面と、隣接する前記第１傾斜面の間に形成された第２面とを備えており、前記第２面は前記光源側を向いているので、光源に近い側の前記第１傾斜面を１Ａ傾斜面とし、光源から遠い側の前記第１傾斜面を１Ｂ傾斜面としたときに、１Ａ傾斜面を光源から遠ざかる方向に延長した場合において、その延長面よりも１Ｂ傾斜面は、前記法線に近い側にシフトしていることとなり、これにより配光面の裏面側のスペースを確保できる。更に、１Ｂ傾斜面を光源に近づく方向に延長した場合において、その延長面よりも１Ａ傾斜面は、前記法線から遠い側にシフトしていることとなり、これにより前記光源から出射された光を前記１Ａ傾斜面で干渉することが抑制され、前記第２面での反射を促すことで光の利用効率を高めることができる。
【００１２】
更に、前記第２面は前記光源側を向き、且つ前記第２面を延長した面が前記法線と交差するように前記第２面が延在しているので、前記光源から出射して前記第２面で反射した光を、前記光源取り付け面に沿った方向に進行させて（前記光源取り付け面に沿った方向の成分を持つ光）を前記射出部から出射させることができる。一方、前記光源から出射され前記配光面で反射しない光は、出射された方向に進行し前記射出部から出射するので、これにより異なる２方向を含む広い角度範囲にバランス良く光を出射できる。前記第２面は、鏡面であると好ましいが、粗し面など拡散機能が与えられていても良い。前記第１傾斜面は、光を反射する目的で使用される場合、鏡面であると好ましいが、粗し面など拡散機能が与えられていても良い。配光面の反射方向による配光機能に加えて、拡散機能を持たせることで、特定方向に輝線等が視認しにくく、均一な照度の照明が可能になる。又、第２面は１つでも良いが、スペースの有効利用のためには複数とすることが好ましい。ここで、「前記第２面で反射した光」とは、前記光源から出射して前記照明装置から出射する間に、前記第２面で反射することを意味し、従って前記第１傾斜面と前記第２面の両方で反射する場合、その反射の順序は問わない。
【００１３】
請求項２に記載の照明装置は、請求項１に記載の発明において、前記第２面の総面積は、前記第１傾斜面の総面積より小さいことを特徴とする。
【００１４】
前記第２面の面積が大きくなりすぎると、前記第２面で反射する光が多くなりすぎて、前記光源から出射されて前記法線方向に向かう光が少なくなることもある。このような場合、前記第２面の総面積を、前記第１傾斜面の総面積より小さくすることで、両方向に向かう光の強度バランスを確保できる。
【００１５】
請求項３に記載の照明装置は、請求項１又は２に記載の発明において、前記第２面は、前記法線に沿って前記光源から遠ざかるにつれて、前記法線に近づくことを特徴とする。
【００１６】
これにより前記第２面は前記光源に正対する形となるので、前記第２面の面積を小さくしても、反射効率を高めることで前記光源取り付け面に沿った方向に進行する光の強度を高めることができる。この場合、前記第２面から反射した光は、直接前記光源取り付け面に沿った方向に進行するので、前記第１傾斜面の傾き角を調整して、前記光源から出射する光に干渉しないようにできるから、光の利用効率を高めることができる。
【００１７】
請求項４に記載の照明装置は、請求項３に記載の発明において、前記第２面は、前記第１傾斜面を挟んで、前記光源に近い前記第２Ａ面と、前記第２Ａ面よりも前記光源から遠い第２Ｂ面とを含み、前記法線に対する前記第２Ａ面の傾き角θＡは、前記法線に対する前記第２Ｂ面の傾き角θＢよりも小さいことを特徴とする。
【００１８】
これにより、前記光源に近い前記第２Ａ面から反射する光は、前記法線にほぼ直交するように出射することで、前記光源で遮られることを抑制し、前記光源から遠い前記第２Ｂ面から反射する光は、前記第２Ａ面からの反射光よりも前記光源により近い側へと出射することで、所望の方向の光強度を高めることができる。
【００１９】
請求項５に記載の照明装置は、請求項１〜３のいずれかに記載の発明において、前記光源から出射し、前記第１傾斜面と前記第２面の一方で反射した後、更に他方で反射した光は、前記光源取り付け面に沿った方向に進行することを特徴とする。
【００２０】
前記第１傾斜面と前記第２面の両方で反射する光を用いて照明を行うので、前記第１傾斜面と前記第２面の傾斜角の自由度が向上し、これにより光の利用効率を高めることができるとともに、よりコンパクトな構成を実現できる。
【００２１】
請求項６に記載の照明装置は、請求項５に記載の発明において、前記第２面は、前記光源取り付け面に対して略平行であることを特徴とする。
【００２２】
前記第２面の面積を小さくしながらも、前記光源から出射する強度の高い光線を反射することができ、これにより前記法線に沿った方向と、前記光源取り付け面に沿った方向とにバランス良く光を出射することができる。尚、「略平行」とは、平行に対して±１０°以内の範囲を含む。
【００２３】
請求項７に記載の照明装置は、請求項５に記載の発明において、前記光源から出射し、前記第２面で反射した後、更に前記第１傾斜面で反射した光は、前記光源取り付け面に沿った方向に進行することを特徴とする。
【００２４】
前記光源から出射した光は、前記第２面で反射した後、更に前記第１傾斜面で反射するので、前記第２面の延長面を前記法線に略直交させることができ、これにより前記第２面の面積を小さく抑えながらも反射効率が高くできるので、前記法線に沿った方向と、前記光源取り付け面に沿った方向とにバランス良く出射することができる。
【００２５】
請求項８に記載の照明装置は、請求項１〜７のいずれかに記載の発明において、前記射出部は、光を透過するとともに拡散作用を持つ素材から形成されたカバー部材で覆われていることを特徴とする。
【００２６】
前記射出部を、光を透過するとともに拡散作用を持つ素材から形成されたカバー部材で覆うことにより、照明光の均一な出射を促進し、前記射出部から出射する輝線などが視認されたりする不具合を回避できるので好ましい。尚、出射光の指向性を保存できる範囲で、拡散作用を持たせるのが好ましい。このようなカバー部材としては、透光性を有する従来公知の樹脂拡散板（散乱剤を混入させたもの、表面凹凸により拡散させるもの）や樹脂拡散フィルムを用いることができる。ただし、拡散作用を持たせなくても良い。
【００２７】
請求項９に記載の照明装置は、請求項１〜８のいずれかに記載の発明において、前記配光面を挟んで、前記光源と反対側に前記光源を駆動する駆動回路が設けられていることを特徴とする。
【００２８】
本発明によれば、前記配光面を挟んで、前記光源と反対側に、比較的大きなスペースを確保できるので、かかるスペースに前記光源を駆動する駆動回路を配置することで、小型の照明装置を提供できる。
【００２９】
請求項１０に記載の照明装置は、請求項１〜９のいずれかに記載の発明において、前記光源は、前記光源取り付け面と前記配光面との交差部に沿って間隔を置いて複数個設けられたＬＥＤ光源であることを特徴とする。
【００３０】
これにより省エネを図りつつも、明るい照明を提供できる。
【００３１】
請求項１１に記載の照明装置は、請求項１〜１０のいずれかに記載の発明において、棚板の下面に取り付けられることを特徴とする。
【００３２】
これにより前記照明装置を取り付けた棚板の下方と前方とを効率よく照明することができる。
【発明の効果】
【００３３】
本発明によれば、小型でありながら単一の光源を用いて光の利用効率を高めつつ、異なる２方向に照明光を出射して照明することができる照明装置、特に棚板に取り付けると好適な照明装置を提供することができる。
【図面の簡単な説明】
【００３４】
【図１】第１の実施の形態にかかる照明装置１０の断面図である。
【図２】照明装置１０単体の断面において光線経路を加えて示す図である。
【図３】第１の実施の形態の変形例にかかる断面図である。
【図４】第２の実施の形態にかかる照明装置１０Ａ単体の断面において光線経路を加えて示す図である。
【図５】第２の実施の形態にかかる照明装置１０Ａの断面図である。
【図６】第３の実施の形態にかかる照明装置１０Ｂ単体の断面において光線経路を加えて示す図である。
【図７】第４の実施の形態にかかる照明装置１０Ｃの断面図である。
【図８】第４の実施の形態にかかる照明装置１０Ｃ単体の断面において光線経路を加えて示す図である。
【図９】従来例の照明装置を示す概略断面図である。
【図１０】従来例の照明装置の変形例を示す概略断面図である。
【図１１】従来例の照明装置の変形例を示す概略断面図である。
【図１２】照明装置の端部を分解して示す図である。
【発明を実施するための形態】
【００３５】
以下に本発明の実施形態を、図面を参照して説明する。また、同一構成部材については同一の符号を用い、詳細な説明は適宜省略する。
【００３６】
（第１の実施の形態）
図１は、第１の実施の形態にかかる照明装置１０の断面図である。図２は、照明装置１０単体の断面において光線経路を加えて示す図であるが、駆動回路は省略している。照明装置１０は、保持部材としてのフレーム１１と、光源１２と、カバー部材１３とを有する。不図示のねじにより棚板２０の下面に取り付けられるフレーム１１は、アルミニウムを押し出し成形することで一体的に形成されており、同一断面にて紙面垂直方向に細長く延在する構造である。フレーム１１は、棚板２０の下面と略平行な上板部１１ａおよび下板部１１ｂと、それらに直交する奥板部１１ｃと、奥板部１１ｃに対向する前板部１１ｄとからなるボックス構造１１ｂｘを有している。ボックス構造１１ｂｘ内には、光源１２を駆動するための駆動回路１４が配置されている。尚、棚板２０の手前側（図１で左端）には、光透過性の値札２１が取り付けられている。
【００３７】
フレーム１１は、ボックス構造１１ｂｘの上板部１１ａを図１，２で左方に延長した延長部１１ｅを設けている。延長部１１ｅの下面が、棚板２０の下面と略平行な光源取り付け面１１ｆとなっている。延長部１１ｅの両端から下方に伸びて対向する鈎部１１ｇ、１１ｇが設けられており、光源取り付け面１１ｆに、光源１２の基板１２ｂが取り付けられたとき、鈎部１１ｇ、１１ｇは基板１２ｂを両側から保持するようになっている。
【００３８】
光源１２は、図１，２で下方に向いた複数の発光部１２ａと、発光部１２ａを支持するとともに給電する機能を持つ細長い基板１２ｂとからなる。光源１２は、例えば、紙面垂直方向に沿って延在する基板１２ｂ上で間隔をおいて配設する複数の点状光源（ＬＥＤ）を、発光部１２ａとして用いることができる。また、低消費電力で発光強度が高く、白色発光するＬＥＤを用いることが好ましい。そのために、本実施形態では白色ＬＥＤを用いることとした。発光部１２ａを、以下、ＬＥＤチップ１２ａとする。
【００３９】
光源１２は、ここでは白色ＬＥＤであり、複数の青色ＬＥＤと、青色ＬＥＤからの光に励起されて所定波長の励起光を発光する蛍光体（例えば、黄色蛍光体）を組み合わせて白色発光するものである。この場合、黄色蛍光体を単一の板状とする単一の面状光源であっても良い。また、白色ＬＥＤは、赤色ＬＥＤ、青色ＬＥＤ、緑色ＬＥＤを組み合わせた高演色ＬＥＤを用いてもよい。高演色ＬＥＤを用いることにより、高い色再現性の必要な用途に好適な照明ユニットを実現することが可能である。また、色温度の異なる２種類のLEDを交互に配置し、各々のLEDの発光強度比を変更することにより、色温度の調整できる照明装置を実現できる。
【００４０】
基板１２ｂは、複数のチップ型のＬＥＤチップ１２ａを所定ピッチで搭載する。このように、基板１２ｂは、長手方向に一体とされるが、複数の基板に分け、それぞれを電気的に接続する構成としてもよい。また、基板１２ｂは、ボックス構造１１ｂｘ内に配置された駆動回路１４と不図示のリード線を介して接続されており、駆動回路１４からＬＥＤチップ１２ａに流れる電流を制御することで、照明装置のオンオフもしくは輝度調整が可能である。
【００４１】
フレーム１１において、前板部１１ｄの光源側面が、光源取り付け面１１ｆに交差する方向に延在する配光面１１ｈとなっている。光源取り付け面１１ｆの左方縁と、配光面１１ｈの下方縁との間が射出部である。配光面１１ｈは、押し出し成形時の加工のままであり、ヘアラインが形成されている程度に鏡面化されている。ただし、ショットブラストなどの拡散処理を施しても良い。配光面１１ｈは、図１に示すように、ＬＥＤチップ１２ａの中心を通る光源取り付け面１１ｆの法線ＮＬに沿ってＬＥＤチップ１２ａから遠ざかるにつれて、法線ＮＬから離れる側にそれぞれ傾斜した３つの第１傾斜面１１ｉと、第１傾斜面１１ｉと交互に並べられた３つの第２面１１ｊとを有する。第１傾斜面１１ｉの総面積は、第２面１１ｊの総面積より大きい。ここで、図で上方の第１傾斜面１１ｉ（１Ａ傾斜面という）の下端は、それより下方の第１傾斜面１１ｉ（１Ｂ傾斜面という）の上端より法線ＮＬから離れた位置にある。これにより、配光面１１ｈは全体的に法線ＮＬに対して殆ど傾くことなく略平行に延在する。
【００４２】
一方、３つの第２面１１ｊは、それぞれ光源側を向き且つ第２面１１ｊを延長した面が法線ＮＬと交差するように延在している。特に、本実施の形態では、図１に示すように、光源２に最も近い第２面１１ｊ（第２Ａ面という）の法線に対する傾き角をθＡとし、光源２に次に近い第２面１１ｊ（第２Ｂ面という）の法線に対する傾き角をθＢとし、光源２から最も遠い第２面１１ｊ（第２Ｃ面という）の法線に対する傾き角をθＣとしたときに、以下の式が成立する。
θＡ＜θＢ＜θＣ      （１）
【００４３】
図１において、フレーム１１の延長部１１ｅの先端に、紙面垂直方向に延在する丸溝１１ｋが形成されており、また前板部１１ｄの下端にも、紙面垂直方向に延在する丸溝１１ｍが形成されている。断面Ｌ字状のカバー部材１３は、拡散材を混入した樹脂から成形されてなり、その上縁に形成された円筒状の隆起部１３ａを、丸溝１１ｋに係合させ、またカバー部材１３の下縁に形成された円筒状の隆起部１３ｂを、丸溝１１ｍに係合させることで、射出部を覆うようにしてフレーム１１に取り付けられている。尚、照明装置１０の高さは１９ｍｍであり、奥行きは３５ｍｍとなっている。ここで、第１傾斜面１１ｉを、光源２から近い順に、１Ａ傾斜面、１Ｂ傾斜面、１Ｃ傾斜面という。又、第２面１１ｊを、光源２から近い順に、２Ａ面、２Ｂ面、２Ｃ面という。
【００４４】
図１２において、フレーム１１のサイドカバー２２は、これに設けられたネジ用穴２２ｋ、２２ｍを通して丸溝ｌｌｋ、丸溝ｌｌｍに対してそれぞれネジ固定される。カバー部材１３を係合させるために設けられた丸溝ｌｌｋ、ｌｌｍをそれぞれネジ固定用溝として用いることで、新たにネジ固定用溝部をフレーム１１内に設ける必要がないためフレーム１１内のスペースを効果的に利用できる。また、フレーム１１内部の形状が複雑化することでフレーム１１がコストアップすることが抑制される。なお、丸溝１１ｋおよび丸溝１１ｍの内面には特にネジ溝を設けずセルフタップネジ用としてもよいし、ネジ溝を設けてもよい。またネジ固定は、固定力が足りれば丸溝１１ｋまたは丸溝１１ｍのどちらか片方のみを用いてもよい。さらにサイドカバー２２の固定用ネジ２３ｋ、２３ｍの長さを適当なものに選ぶことで、ネジ固定した後のカバー部材１３のフレーム１１に対する不要な移動をネジで規制することもできる。  
【００４５】
本実施の形態の動作について、図２を参照して説明する。ここで、ＬＥＤチップ１２ａからの光は主たるものを図示しており、実際は図示した以外の光も出射するが、光量としては少ないので説明を省略する。駆動回路１４から給電された電力によりＬＥＤチップ１２ａが発光すると、配光面１１ｈに入射しない出射光は、カバー部材１３を介して直接出射する。このとき、比較的強度が高い法線ＮＬに近い光は、カバー部材１３の下方より出射して、下方の商品等（不図示）を明るく照明する。これにより消費者の購買意欲が喚起される。
【００４６】
一方、配光面１１ｈに入射したＬＥＤチップ１２ａからの出射光は、本実施の形態では、以下のようにして照明装置１０から出射する。まず、最初に１Ａ傾斜面１１ｉに入射した光の少なくとも一部は、ここで反射することで、更に２Ａ面で反射し、断面上法線ＮＬを横切って側方もしくは斜め下方に出射するようになっている（Ｌ１ａ）。また最初に２Ａ面１１ｊに入射した光の少なくとも一部は、ここで反射することで、断面上法線ＮＬを横切って、側方に出射するようになっている（Ｌ１ｂ）。
【００４７】
更に、最初に１Ｂ傾斜面１１ｉに入射した光の少なくとも一部は、ここで反射することで、更に２Ｂ面で反射し、断面上法線ＮＬを横切ってやや下方に出射するようになっている（Ｌ２ａ）。また最初に２Ｂ面１１ｊに入射した光の少なくとも一部は、ここで反射することで、断面上法線ＮＬを横切って、更に鈎部１１ｇで反射して下方に向かうか（Ｌ２ｂ）、そのまま上方に抜けるように出射するようになっている（Ｌ２ｃ）。
【００４８】
更に、最初に２Ｃ面１１ｊに入射した光の少なくとも一部は、ここで反射することで、断面上法線ＮＬを横切って、更に鈎部１１ｇで反射して下方に向かうか（Ｌ３ａ）、そのまま上方に抜けるように出射するようになっている（Ｌ３ｂ）。尚、最初に１Ｃ傾斜面１１ｉに入射する光はない。
【００４９】
本実施の形態では、各第２面１１ｊは、（１）式の関係を有するので、最も光源２に近い第２面１１ｊ（２Ａ面）に入射した光は、ほぼ法線ＮＬに対して直交するように（光源取り付け面１１ｆに平行）に反射して、カバー部材１３の側面から出射する（Ｌ１ｂ）。かかる出射光により、値札２１（図１）の下側が照明されることとなる。かかる方向には、ランバーシャン特性を持つＬＥＤチップ１２ａから出射した、法線ＮＬから遠く比較的強度が低い光も出射するが、第２Ａ面から反射してきた光と足し合わせることで、バランスの良い強度の光を得ることができる。
【００５０】
更に、２Ａ面よりも光源２から遠い第２面１１ｊ（２Ｂ面、２Ｃ面）に入射した光の一部は、延長部１１ｅの先端側に向けて反射し、カバー部材１３の側面から出射する（Ｌ２ｃ，Ｌ３ｂ）。かかる出射光により、値札２１（図１）の上側が照明されることとなる。これにより、値札２１が明るく照明されるので、消費者は商品の値段を容易に認識できる。すなわち本実施の形態によれば、単一のＬＥＤチップ１２ａから出射された光を、配光面１１ｈを用いることで広い照明範囲で異なる方向に出射させることができ、異なる方向にある商品と値札とをともに明るく照明できるのである。 
【００５１】
本実施の形態によれば、光源２に近い１Ａ傾斜面１１ｉの下端が、その下方の１Ｂ傾斜面１１ｉの上端より法線ＮＬから遠ざかるように配置したので、配光面１１ｈを設けた前板部１１ｄを法線ＮＬに沿って延在させることができ、前板部１１ｄの裏面側のスペース（ボックス構造１１ｂｘ内）を大きく確保できる。これにより、ボックス構造１１ｂｘ内に比較的大きな駆動回路１４を収容しても、照明装置１０をコンパクトにできる。更に、１Ｂ傾斜面１１ｉを光源に近づく方向に延長した場合において、その延長面よりも１Ａ傾斜面１１ｉは、法線ＮＬから遠い側にシフトしていることとなり、これにより光源２から出射された光を１Ａ傾斜面で遮ることが抑制され、光の利用効率を高めることができる。
【００５２】
なお本実施の形態では、前述したようにフレーム１１のサイドカバー２２は、これに設けられたネジ用穴２２ｋ、２２ｍを通して丸溝ｌｌｋ、ｌｌｍに対してそれぞれネジ固定される。従ってカバー部材１３を係合させるための丸溝ｌｌｋ、ｌｌｍをネジ固定用溝として用いることで、新たにネジ固定用溝部をフレーム１１内に設ける必要がなくなる。このため光源１２から照射された光線が新たに設けられたネジ固定用溝部によって遮られるということがなく、光線の到達領域を十分確保することができ、光源１２や前板部１１ｄなど光学部位の配置や設計に関する自由度が向上する。
【００５３】
図３は、本実施の形態の変形例にかかる照明装置１０の断面図である。カバー部材１３の断面を略円弧状に形成してなる。それ以外の構成は、上述した実施の形態と同様である。尚、カバー部材１３は、以上に限られず任意の形状を取り得る。
【００５４】
（第２の実施の形態）
図４，５は第２の実施の形態にかかる照明装置１０Ａの断面図である。本実施の形態においては、上述した実施の形態に対して前板部１１ｄの形状が異なる。奥側（図４，５で右側）の面が平坦である前板部１１ｄは、ＬＥＤチップ１２ａの中心を通る光源取り付け面１１ｆの法線ＮＬに沿って光源２から離れるにつれて法線ＮＬから遠ざかるように浅く傾いており、光源側に、上述の実施の形態とは異なり断面が鋸歯形状の配光面１１ｈを形成している。より具体的には、図５に示すように、法線ＮＬに沿ってＬＥＤチップ１２ａから遠ざかるにつれて、法線ＮＬから離れる側にそれぞれ傾斜した５つの第１傾斜面１１ｉと、第１傾斜面１１ｉと交互に並べられた５つの第２面１１ｊとを有する。ここで、図で上方の第１傾斜面１１ｉの下端は、それに隣接する下方の第１傾斜面１１ｉの上端より法線ＮＬから離れた位置にある。ここで、第１傾斜面１１ｉを、光源２から近い順に、１Ａ傾斜面、１Ｂ傾斜面、１Ｃ傾斜面、１Ｄ傾斜面、１Ｅ傾斜面という。
【００５５】
本実施の形態では、各第２面１１ｊは、法線ＮＬに直交する方向に延在している。すなわち、各第２面１１ｊは、光源取り付け面１１ｆに対して平行である。ここで、第２面１１ｊを、光源２から近い順に、２Ａ面、２Ｂ面、２Ｃ面、２Ｄ面、２Ｅ面という。
【００５６】
本実施の形態の動作について、図４を参照して説明する。ＬＥＤチップ１２ａが発光すると、配光面１１ｈに入射しない出射光は、カバー部材１３を介して直接出射する。一方、配光面１１ｈに入射したＬＥＤチップ１２ａからの出射光は、本実施の形態では、以下のようにして照明装置１０から出射する。まず、最初に１Ａ傾斜面１１ｉに入射した光の少なくとも一部は、ここで反射することで、更に直接（Ｌ１ａ）もしくは鈎部１１ｇの下面で反射して（Ｌ１ｂ）、照明装置１０の下方から出射する。一方、最初に２Ａ面１１ｊに入射した光の少なくとも一部は、ここで反射することで、更に１Ａ傾斜面１１ｉで反射し、断面上法線ＮＬを横切ってやや上方に出射するようになっている（Ｌ１ｃ）。
【００５７】
次に、最初に１Ｂ傾斜面１１ｉに入射した光の少なくとも一部は、ここで反射することで、直接、照明装置１０の下方から出射する（Ｌ２ａ）。一方、最初に２Ｂ面１１ｊに入射した光の少なくとも一部は、ここで反射することで、更に１Ｂ傾斜面１１ｉで反射し、断面上法線ＮＬを横切ってやや下方に出射するようになっている（Ｌ２ｂ）。
【００５８】
次に、最初に１Ｃ傾斜面１１ｉに入射した光の少なくとも一部は、ここで反射することで、更に直接、照明装置１０の下方から出射する（Ｌ３ａ）。一方、最初に２Ｃ面１１ｊに入射した光の少なくとも一部は、ここで反射することで、更に１Ｃ傾斜面１１ｉで反射し、断面上法線ＮＬを横切ってやや上方に出射するようになっている（Ｌ３ｂ）。
【００５９】
次に、最初に１Ｄ傾斜面１１ｉに入射した光の少なくとも一部は、ここで反射することで、直接、照明装置１０の下方から出射する（Ｌ４ａ）。一方、最初に２Ｄ面１１ｊに入射した光の少なくとも一部は、ここで反射することで、更に１Ｄ傾斜面１１ｉで反射し、断面上法線ＮＬを横切ってやや上方に出射するようになっている（Ｌ４ｂ）。
【００６０】
次に、最初に２Ｅ面１１ｊに入射した光の少なくとも一部は、ここで反射することで、更に１Ｅ傾斜面１１ｉで反射し、断面上法線ＮＬを横切ってやや上方に出射するようになっている（Ｌ５ａ）。
【００６１】
本実施の形態によれば、５つの第１傾斜面１１ｉ、第２面１１ｊの傾斜角度をそれぞれ調整することで、単一のＬＥＤチップ１２ａから出射された光を、広い照明範囲で異なる方向にバランス良く出射させることができ、異なる方向にある商品と値札とをともに明るく照明できる。特に、各第２面１１ｊが法線ＮＬに直交するので、ＬＥＤチップ１２ａからの出射光を効率よく入射できる。尚、各第１傾斜面１１ｉ及び第２面１１ｊの反射方向は、以上の実施の形態に限られない。
【００６２】
尚、本実施の形態では、第２面１１ｊで反射した後、第１傾斜面１１ｉで反射する光の量を、第１傾斜面１１ｉで反射した後、第２面１１ｊで反射する光の量より多くしているが、これとは逆に、第１傾斜面１１ｉで反射した後、第２面１１ｊで反射する光の量を、第２面１１ｊで反射した後、第１傾斜面１１ｉで反射する光の量より多くしてもよい。この場合、第２面１１ｊは第１の実施の形態のように、法線ＮＬに沿って光源２から遠ざかるにつれて法線ＮＬに近づく側に傾斜させることが好ましく、それにより光源２からの直接光も反射し、異なる方向の反射光も得ることができる。つまり、第２面１１ｊで反射した後に面積の大きい第１傾斜面１１ｉで反射する本実施の形態の方が、効率よく前方に光を反射して値札２１を明るく照明できる。
【００６３】
（第３の実施の形態）
図６は第３の実施の形態にかかる照明装置１０Ｂの断面図である。本実施の形態においては、上述した実施の形態に対して前板部１１ｄの形状が異なる。奥側（図６で右側）の面が平坦で法線ＮＬに平行である前板部１１ｄは、光源側に、上述の実施の形態とは異なる断面形状の配光面１１ｈを形成している。より具体的には、図６に示すように、法線ＮＬに沿ってＬＥＤチップ１２ａから遠ざかるにつれて、法線ＮＬから離れる側にそれぞれ凹状に湾曲して（下方に向かうほど法線ＮＬと平行に近づく、ただし角度が異なる複数平面でも良い）傾斜した５つの第１傾斜面１１ｉと、第１傾斜面１１ｉと交互に並べられた５つの第２面１１ｊとを有する。ここで、図で上方の第１傾斜面１１ｉの下端は、それに隣接する下方の第１傾斜面１１ｉの上端より法線ＮＬから離れた位置にある。ここで、第１傾斜面１１ｉを、光源２から近い順に、１Ａ傾斜面、１Ｂ傾斜面、１Ｃ傾斜面、１Ｄ傾斜面、１Ｅ傾斜面という。
【００６４】
本実施の形態では、各第２面１１ｊは、法線ＮＬに直交する方向に延在している。すなわち、各第２面１１ｊは、光源取り付け面１１ｆに対して平行である。ここで、第２面１１ｊを、光源２から近い順に、２Ａ面、２Ｂ面、２Ｃ面、２Ｄ面、２Ｅ面という。
【００６５】
本実施の形態の動作について、図６を参照して説明する。ＬＥＤチップ１２ａが発光すると、配光面１１ｈに入射しない出射光は、カバー部材１３を介して直接出射する。一方、配光面１１ｈに入射したＬＥＤチップ１２ａからの出射光は、本実施の形態では、以下のようにして照明装置１０から出射する。まず、最初に１Ａ傾斜面１１ｉに入射した光の少なくとも一部は、ここで反射することで、直接、照明装置１０の下方から出射する（Ｌ１ａ）。一方、最初に２Ａ面１１ｊに入射した光の少なくとも一部は、ここで反射することで、更に１Ａ傾斜面１１ｉで反射し、断面上法線ＮＬを横切ってやや上方に出射する（Ｌ１ｂ）か、鈎部１１ｇで反射して、やや下方に出射するようになっている（Ｌ１ｃ）。なお、基板１２ｂ上で反射する光もあるが、それはわずかである。
【００６６】
次に、最初に１Ｂ傾斜面１１ｉに入射した光の少なくとも一部は、ここで反射することで、更に２Ｂ面１１ｊに反射して断面上法線ＮＬを横切ってやや上方に出射するようになっている（Ｌ２ａ）。一方、最初に２Ｂ面１１ｊに入射した光の少なくとも一部は、ここで反射することで、更に１Ｂ傾斜面１１ｉで反射し、断面上法線ＮＬを横切ってやや下方に出射するようになっている（Ｌ２ｂ）。
【００６７】
次に、最初に２Ｃ面１１ｊに入射した光の少なくとも一部は、ここで反射することで、更に１Ｃ傾斜面１１ｉで反射し、断面上法線ＮＬを横切ってやや上方及び下方に出射するようになっている（Ｌ３ａ）。
【００６８】
次に、最初に２Ｄ面１１ｊに入射した光の少なくとも一部は、ここで反射することで、更に１Ｄ傾斜面１１ｉで反射し、断面上法線ＮＬを横切ってやや下方に出射するようになっている（Ｌ４ａ）。
【００６９】
次に、最初に２Ｅ面１１ｊに入射した光の少なくとも一部は、ここで反射することで、更に１Ｅ傾斜面１１ｉで反射し、断面上法線ＮＬを横切ってやや上方に出射するようになっている（Ｌ５ａ）。
【００７０】
本実施の形態によれば、第１傾斜面１１ｉを湾曲とすることで、最初に第２面１１ｊに入射する光の量を増やすことができ、これにより特に値札２１に向けた出射光を増やすことができ、屋内照明が暗い場合でも、バランスのとれた照明を行うことができる。尚、第１傾斜面１１ｉのみならず、第２面１１ｊを曲面としても良い。
【００７１】
（第４の実施の形態）
図７、８は第４の実施の形態にかかる照明装置１０Ｃの断面図である。本実施の形態においては、第２面１１ｊの傾きを、光源取り付け面１１ｆ（法線ＮＬに直交する方向）に対して５°、図で右方が下がるように傾けている。それ以外は、第２の実施の形態と同様である。
【００７２】
本実施の形態によれば、第２面１１jを水平に対して５°傾けることで、図８に示すように、最初に第２面１１ｊで反射した光が、第１傾斜面１１ｉに反射して、図４に示す例よりも法線ＮＬを横切って上方に向かう光が多くなる。これに対し、図４に示す例と同様な配光特性とした場合、第１傾斜面１１ｉの傾き角を５°分抑えることができる。これを言い換えると、配光面１１ｈを設けた前板部１１ｄを法線ＮＬに平行に近づくように、５°分立てることができるので、その分ボックス構造１１ｂｘ内のスペースが拡大し、そこに大きな駆動回路（不図示）を配置することができる。
【産業上の利用可能性】
【００７３】
本発明は、明細書に記載の実施例に限定されるものではなく、他の実施例・変形例を含むことは、本明細書に記載された実施例や思想から本分野の当業者にとって明らかである。
【符号の説明】
【００７４】
１０、１０Ａ、１０Ｂ、１０Ｃ  照明装置
１１  フレーム
１１ａ  上板部
１１ｂ  下板部
１１ｂｘ  ボックス構造
１１ｃ  奥板部
１１ｄ  前板部
１１ｅ  延長部
１１ｆ  光源取り付け面
１１ｇ  鈎部
１１ｈ  配光面
１１ｉ  第１傾斜面
１１ｊ  第２面
１１ｋ  丸溝
１１ｍ  丸溝
１２  光源
１２ａ  発光部（ＬＥＤチップ）
１２ｂ  基板
１３  カバー部材
１３ａ  隆起部
１３ｂ  隆起部
１４  駆動回路
２０  棚板
２１  値札
２２  サイドカバー
２２ｋ  ネジ用穴
２２ｍ  ネジ用穴
２３ｋ  ネジ
２４ｍ  ネジ
ＮＬ  法線
【図１】
2014056787.tif 000003
【図２】
2014056787.tif 000004
【図３】
2014056787.tif 000005
【図４】
2014056787.tif 000006
【図５】
2014056787.tif 000007
【図６】
2014056787.tif 000008
【図７】
2014056787.tif 000009
【図８】
2014056787.tif 000010
【図９】
2014056787.tif 000011
【図１０】
2014056787.tif 000012
【図１１】
2014056787.tif 000013
【図１２】
2014056787.tif 000014